(57)【要約】【課題】装飾品が装身具本体に対して揺動可能な装身具において、僅かな振動で装飾品が大きく揺動できるものとする。【解決手段】装飾品２を一点により揺動自在に支持して成る装身具１であって、装飾品の重心位置より上方にあって該装飾品を支持する支点部３と、支点部をその下方から揺動自在に支持する受け部４と、受け部に取り付けられた装身具本体５と、を備えた。【選択図】図５
2020058723.tif 000002
【特許請求の範囲】
【請求項１】
装飾品を一点により揺動自在に支持して成る装身具であって、
前記装飾品の重心位置より上方にあって該装飾品を支持する支点部と、
前記支点部をその下方から揺動自在に支持する受け部と、
前記受け部に取り付けられた装身具本体と、
を備えたことを特徴とする一点揺動支持の装身具。
【請求項２】
前記支点部が前記受け部から抜け出すのを防止するための抜け止め部材をさらに備えたことを特徴とする請求項１に記載の一点揺動支持の装身具。
【請求項３】
前記支点部は、前記装飾品の上部から下方に伸びる足部に設けられ、
前記受け部は、前記装身具本体から上方に伸びる部材に設けられ、前記支点部を軸支するピボット受けで成ることを特徴とする請求項１又は請求項２に記載の一点揺動支持の装身具。
【請求項４】
前記支点部は、前記装飾品の上部から下方に伸びる足部に設けられたピボット受けで成り、
前記受け部は、前記装身具本体から上方に伸びるピボット軸で成ることを特徴とする請求項１又は請求項２に記載の一点揺動支持の装身具。
【請求項５】
前記抜け止め部材は、前記足部又は前記装身具本体に設けられた係合部材と、前記係合部材が係合して抜け止めする前記受け部又は前記足部に設けられた係合部と、を備えたことを特徴とする請求項２に記載の一点揺動支持の装身具。
【請求項６】
前記支点部は、円錐台形状又は断面三角形状の凹部とされ、
前記受け部は、円柱又は角柱の上端を斜めにカットした面を持つ形状とされていることを特徴とする請求項４に記載の一点揺動支持の装身具。
【発明の詳細な説明】
【技術分野】
【０００１】
本発明は、装飾品が揺動または回動する装身具に関するものである。
【背景技術】
【０００２】
従来から、装飾品を有する指輪、ペンダント、ブローチ、ネックレス、イヤリングなどの装身具にあって、装飾品が指輪などの装身具本体に揺動または回動自在に係合されているものが多数提案されている。
【０００３】
しかし、これらはいずれも装飾品を例えばピボット軸により支持し、または、リンク等により吊り下げ支持し、ピボット軸または吊り下げ点を支点に任意に揺動または回動するものであるため、装飾品の動きが単純で、かつ鈍いものとなり、人の目を持続的に引き付けるだけの印象の強さに欠けるものとなっていた。また、装飾品をコイルばね等の弾性体により支持して装飾品を微妙に揺動させるものが提案されている（例えば、特許文献１参照）。しかし、これも装飾品の一端部を1つのコイルばねにより支持しているに過ぎないため、上記と同様、装飾品の動きが単純かつ鈍いものとなっていた。
【先行技術文献】
【特許文献】
【０００４】
【特許文献１】特開２０１８−８６１８１号公報
【発明の概要】
【発明が解決しようとする課題】
【０００５】
本発明は、上述した従来の問題点を解消するものであり、装飾品を一点で揺動または回動支持することにより、僅かな振動を受けても装飾品が大きくゆっくりと揺動して、人の目を持続的に引き付ける魅力を有する装身具を提供することを目的とする。
【課題を解決するための手段】
【０００６】
本明細書において装身具とは、指輪、ブローチ、ペンダント、ネックレス、イヤリング、ピアス、爪装飾品などの装身具やオーナメントや置物などの装飾品である。また、装飾品とはダイヤモンド、エメラルド、ルビー、サファイヤ、オパール、真珠などの装飾品、カメオ、様々な物の形を模した飾りなどである。
【０００７】
本発明に係る一点揺動支持の装身具は、装飾品を一点により揺動自在に支持して成る装身具であって、前記装飾品の重心位置より上方にあって該装飾品を支持する支点部と、前記支点部をその下方から揺動自在に支持する受け部と、前記受け部に取り付けられた装身具本体と、を備えたことを特徴とする。
【発明の効果】
【０００８】
本発明に係る一点揺動支持の装身具によれば、装飾品の重心よりも上方の一点で装飾品を揺動可能に支持しているため、僅かな振動でも装飾品が大きくゆっくりと揺動し、装身具としての魅力が極めて大きくなる。
【図面の簡単な説明】
【０００９】
【図１】本発明の一実施形態に係る実施例１による装身具の一部断面の斜視図である。
【図２】実施例１を変形した実施例２による装身具の一部断面の斜視図である。
【図３】実施例１を変形した実施例３による装身具の側断面図である。
【図４】実施例３を変形した実施例４による装身具の側断面図である。
【図５】実施例３を変形した実施例５による装身具の一部透視した斜視図である。
【図６】実施例４を変形した実施例６による装身具の側断面図である。
【図７】実施例３を変形した実施例７による装身具の側断面図である。
【図８】実施例１及び実施例４を組み合わせ持つ実施例８による装身具の側断面図である。
【図９】（ａ）は実施例１又は実施例３を一部変形した抜け止め構成を持つ実施例９による装身具の組み立て手順を説明する図、（ｂ）は同組み立て後の形態の側断面図である。
【発明を実施するための形態】
【００１０】
以下、本発明の実施形態に係る一点揺動支持の装身具の各種実施例について図面を参照して説明する。
【００１１】
（実施例１）
図１は請求項１〜３、５に係る本発明の一実施形態である実施例１による一点揺動支持の装身具１を示す。この装身具１は、装飾品２と、装飾品２を支持する支点部３と、支点部３をその下方から一点で揺動および／または回転（以下、代表して揺動という）運動自在に支持する受け部４と、受け部４に取り付けられた装身具本体５と、支点部３が受け部４から抜け出すのを防止するための抜け止め部材６と、を備えている。支点部３は、装飾品２の重心位置より上方にある。つまり、装飾品２は、その重心位置が、図示の支点部３よりも直下方になるように構成されている。
【００１２】
本例では、装飾品２は、「トンボ」の開いた２枚の羽根の左右両外側が下方に垂れ下がるように形成されることで、重心が支点部３よりも下方に位置する。装飾品２は本例に限られず、任意の造形物で、例えば、「蝶々」、「かかし」のような形態であってもよい。また、装飾品２の適宜の位置に重りを設ける等により重心位置を設定できる。装身具本体５は、例えば指輪に連結され、または指輪そのもの、ペンダント、ネックレス等の装身具であってもよい。
【００１３】
支点部３は、装飾品２の上部から下方に延出された金属等で成る棒状の足部２１の先端に設けられ、ピボット軸となる。装身具本体５は、支点部３をその下方から揺動自在に支持する受け部４を有している。受け部４は、支点部３の先端を軸支する、すり鉢状になったピボット受けで成る。抜け止め部材６は、足部２１の途中に設けられた係合部材６１と、係合部材６１が係合して抜け止めする受け部４に設けられた係合部６２と、を備える。係合部材６１は、ワッカー形状で撓み性を有した樹脂材等で形成され、足部２１に嵌合固定される。係合部６２は、受け部４の一部で成る。
【００１４】
本例では、受け部４は、樹脂材料等により中空の球体形状に形成され、その一部に開口４１を有し、この開口４１を通して足部２１、係合部材６１および支点部３が球体内に挿入されている。受け部４の開口４１は、係合部材６１が受け部４の球体内に一旦、挿入されると、抜け出し難いような大きさとされ、かつ、装飾品２が揺動したときに足部２１の変位を所定量範囲で許容する大きさとされている。また、本例では、足部２１が、クランク状に折れ曲がって形成され、さらに支点部３が下方を向き、受け部４に一点支持されている。足部２１は、必ずしも折れ曲げ形成される必要はなく、直線状に形成されたものであってもよい。受け部４の開口４１が設けられる位置も本例に限られず、任意の位置に設けられればよく、それに応じて足部２１は形成されればよい。
【００１５】
本実施例１において、装飾品２または装身具本体５に振動が与えられとき、装飾品２はその重心よりも上方で一点支持されているので、このような支持構造を用いていないものに較べて、装飾品２は大きくゆっくりと揺動する。そのときの足部２１の揺動は、支点部３の一点支持の周りに矢印で示すように上下、左右（前後）となる。装飾品２の揺動は、このような装飾品２の動きは、見る人の目を持続的に引き付ける。
また、本実施例１においては、抜け止め部材６を備えていることで、装飾品２が装身具本体５から抜け出すことを防止しているが、抜け止め部材６を必ずしも備えている必要はない。なお、足部２１の支点部３が受け部４から外れ難いような形態にしておくことが望ましいことは勿論である。そのような形態にしておくことで、置物だけでなく、指輪やペンダント、イヤリング、付け爪などの装身具に適用することが容易となる。
【００１６】
（実施例２）
図２は、請求項１〜３、５に係る本発明の一実施形態である実施例２による装身具１を示す。この装身具１は、支点部３、受け部４および抜け止め部材６の構成が実施例１と相違する。支点部３は、樹脂材料等により球体状に形成され、支点部３そのものに突起６１の機能を持たせている。受け部４は、球体状の支点部３を相互間に遊び空間を持って支持する半球形状の殻とされている。半球体の受け部４の上端部が、係合部６２と成るように、半球体形状の殻よりも若干延伸されている。受け部４は撓み性を有する樹脂等の材料で成り、支点部３を圧入して成る。本例では、装身具本体５は、指輪５１を構成している。本実施例２においても、上記実施例１と同等の作用効果が得られる。
【００１７】
（実施例３）
図３は、請求項１〜３、５に係る本発明の一実施形態である実施例３による装身具１を示す。この装身具１は、実施例１とは、抜け止め部材６の構成が異なる。抜け止め部材６は、足部２１の途中に設けられた係合部材６３を備えている。係合部材６３は、ドーム状に形成され、その上端部が装飾品２から延設された足部２１に固定され、裾部が受け部４の下方に凹形状に設けられた係合部６４に遊びを持って係合する。係合部６４に対する係合部材６３の遊びは、装身具１が揺動するに十分な大きさとする。本実施例３においても、上記実施例１と同等の作用効果が得られる。
【００１８】
（実施例４）
図４は、請求項１、２、４、５に係る本発明の一実施形態である実施例４による装身具１を示す。この装身具１は、実施例３とは、支点部３および受け部４の形状が異なり、ピボット軸とその受けが上下逆になっている。すなわち、支点部３は、装飾品２の上部から下方に伸びる足部２１の先端に設けられ、ドーム状に形成されている。受け部４は、装身具本体５から上方に伸びる部材の先端に突起状に形成されている。抜け止め部材６は、受け部４の下方に設けられた係合部材６３と、係合部材６３が係合して抜け止めする足部２１の途中に設けられた係合部６４と、を備えている。本実施例４においても、上記実施例３と同等の作用効果が得られる。
【００１９】
（実施例５）
図５は、同じく請求項１、２、４、５に係る本発明の一実施形態である実施例５による装身具１を示す。この装身具１は、実施例４の一部構成を変形しており、装身具本体５がネックレス５２に連結された形態のものを示している。装身具本体５は、金属材又は金属線埋め込みの樹脂材等をＵ字状に折り曲げて形成され、支点部３とは反対側の端部がネックレス５２に連結されている。足部２１にドーム状の凹部が形成され、このドーム内面が支点部３と成り、装身具本体５のロッド状上向き部材の先端が受け部４と成っている。ドーム状の凹部とロッド状上向き部材との係合が、その係合長を大きくすることで、実質的に係合部材６３に相当するものとし、抜け止め部材６を成している。なお、支点部３と受け部４とが互いに吸引し合うように磁石を設けてもよい。本実施例５においても、上記実施例４と同等の作用効果が得られる。
【００２０】
（実施例６）
図６は、同じく請求項１、２、４、５、６に係る本発明の一実施形態である実施例６による装身具１を示す。この装身具１は、実施例４において、支点部３と受け部４の構成を変形したものである。支点部３は、円錐台形状又は断面三角形状の凹部とされ、円柱又は角柱の下端を斜めにカットした面を持つ。受け部４は、円柱又は角柱の上端を斜めにカットした面を持つ形状とされている。支点部３の凹部形成のためにカットした面同士の成す角度Ａ（前面から見た）は、受け部４の上端を斜めにカットした面同士の成す角度Ｂ（同）よりも大きく形成されている。受け部４の上端が支点部３の凹部の頂点に突き合わされることで、装飾品２が支持される。装身具本体５は、指輪５１を構成している。
【００２１】
実施例６の構成によれば、装飾品２は、前面から見て前後方向には大きく揺動可能であるが、左右横方向へは角度Ａの範囲でのみ揺動する。支点部３と受け部４とのカット角度を適宜に設定することで、装飾品２の揺動範囲を任意に設定することができる。このような形態にすることで、装飾品２の揺動が通常とは変わったものとなり、人の目を引き付けることができる。また、支点部３と受け部４との間に所定方向に作用する磁石を取り付けることで、揺動に変化をもたらし、装身具１として面白いものとなる。
【００２２】
（実施例７）
図７は、請求項１、２、３、５に係る本発明の一実施形態である実施例７による装身具１を示す。この装身具１は、実施例３の変形であり、装飾品２を支持する装身具本体５の一部を成す装身具中間部材５３が装身具本体５に対して回動自在に設けられている。装身具１は、受け部４と装身具本体５との間に、受け部４から延設された装身具中間部材５３と、この装身具中間部材５３を保持する回転プレート５４とを備える。装身具中間部材５３は、回転プレート５４に軸受ベアリング７を介して保持され、回転プレート５４は、装身具本体５に軸受ベアリング８を介して保持されている。軸受ベアリング７は、内輪７１と外輪７２から成り、軸受ベアリング８は、内輪８１と外輪８２から成る。
【００２３】
実施例７の構成によれば、装身具中間部材５３は、回転プレート５４に対して回転自在であり、回転プレート５４は、装身具本体５に対して回転自在である。このため、装飾品２は、振動なり移動付勢力が与えられると、装身具本体５に対してメリーゴーランド状に移動し、かつ、装身具中間部材５３に対して揺動し、多様な動きをする。なお、回転プレート５４に曲がったレール溝（図示なし）が設けられていて、このレール溝に装身具中間部材５３がガイドされるように構成されていれば、装飾品２および装身具中間部材５３は、レール溝に沿って移動可能となる。
【００２４】
（実施例８）
図８は、請求項１、２、３、４、５に係る本発明の一実施形態である実施例８による装身具１を示す。この装身具１は、実施例１及び実施例４を組み合わせ持ち、例えば指輪５１に適用したものである。この装身具１は、装飾品（大）２Ａ、装飾品（小）２Ｂを備え、これら装飾品（大）２Ａ、装飾品（小）２Ｂは、指輪５１との間に介在させた揺動部材５５の両端部に揺動支持されている。装飾品（大）２Ａ、装飾品（小）２Ｂの揺動部材５５への揺動支持は、実施例１又は実施例３と同等の構成を用いている。揺動部材５５は、その支持部３が装身具本体５に設けられた受け部４に揺動支持されている。この揺動支持は、実施例４と同等の構成を用いている。指輪５１には、透明部材等で成るウォール５６が装飾品（大）２Ａ、装飾品（小）２Ｂを囲むように設けられている。また、揺動部材５５の装飾品（小）２Ｂ側に、バランス用の重り５７を設けている。このような実施例８によれば、複数の装飾品が多様な揺動動作をして、人の目を引くものと成る。
【００２５】
（実施例９）
図９（ａ）は、実施例１又は実施例３の抜け止め構成を変更した実施例９の装身具１の組み立て手順を示し、（ｂ）は組み立て後の形態を示す。図９（ａ）に示すように、装身具本体５には、凹状の係合部６４が設けられ、装身具本体５の上端に受け部４が設けられている。この受け部３に支持される支持部３を持つ足部２１には、係合部材６１が取り付けられている。これらの上方から係合部材６３を矢印方向に被せ、係合部材６３の下端部を係合部６４に係合させる。係合部材６１、係合部材６３及び係合部６４が、抜け止め部材６を成す。その後、図９（ｂ）に示すように、足部２１に装飾品２を取り付けることで、装身具１が完成する。この実施例９は、係合部材６３が足部２１に固定されず、装身具本体５に固定される点が実施例１や実施例３と相違する。この形態によれば、簡単な構成でもって容易に、一点揺動支持の装身具１を実現できる。
【００２６】
本発明は、上記各種実施例の態様に限られず、様々な変更や修正が可能である。例えば、装飾品２、支点部３、受け部４、足部２１、抜け止め部材６等の構成や材質は、上記に限られことなく、任意の形態を採用可能であり、また、弾性素材等を用いてもよい。例えば、抜け止め部材６を成す抜け止め構造は、装身具本体５側にワッカーを取り付け、そのワッカーと装飾品２との間にチェーンを掛けたような構成等も採用し得る。
【産業上の利用可能性】
【００２７】
本発明は、装身具のみならず、各種デコレーションなどにも適用できる。
【符号の説明】
【００２８】
１    装飾具
２    装飾品
２１  足部
３    支点部
４    受け部
４１  開口
５    装身具本体
５１  指輪
５２  ネックレス
５３  装身具中間部材
５４  回転プレート
５５  揺動部材
５６  ウォール
５７  磁石
６    抜け止め部材
６１  係合部材
６２  係合部
６３  係合部材
６４  係合部
７    軸受ベアリング
８    軸受ベアリング
【図１】
2020058723.tif 000003
【図２】
2020058723.tif 000004
【図３】
2020058723.tif 000005
【図４】
2020058723.tif 000006
【図５】
2020058723.tif 000007
【図６】
2020058723.tif 000008
【図７】
2020058723.tif 000009
【図８】
2020058723.tif 000010
【図９】
2020058723.tif 000011